(57)【要約】【課題】構造が簡素化されているためコストを下げることができるとともに、利便性が高く、使用する際に動作を手早く行うことが可能な、安全な使い捨て式注射器を提供する。【解決手段】筒体１０、注射針台座２０、プランジャーロッド３０を具える。筒体１０内には位置決め部１１を有し、位置決め部１１は注射針台座２０を固定する。プランジャーロッド３０の先端部にはピストンヘッド３１が設けられ、ピストンヘッド３１には環状の凸縁３３が設けられる。薬液の注射が完了したとき、更にプランジャーロッド３０を押すと、ピストンヘッド３１は注射針台座２０に押し込まれ、ピストンヘッド３１と注射針台座２０とが連結し、注射針台座２０が筒体１０の位置決め部から外れた後、注射針台座２０と注射針２８は筒体１０内に収納される。【選択図】図１
2010167279.tif 000002
【特許請求の範囲】
【請求項１】
筒体、注射針台座、プランジャーロッド、ピストンヘッドを備え、
前記筒体の先端部内には位置決め部が設けられ、前記位置決め部は係合溝を具え、
前記注射針台座の前端には注射針を取り付ける注射針取り付け部が設けられ、後端には弾性係合部が設けられ、周縁には液漏れ防止リングを取り付けるリング溝が設けられ、また、前記注射針台座の前端には凸柱が設けられ、前記凸柱の末端には両反対側が突出するように形成した係合部が設けられ、前記凸柱の前記係合部を前記筒体の前記位置決め部の前記係合溝に係合することで前記注射針台座が前記筒体内に固定され、
前記プランジャーロッドの前記ピストンヘッドにはピストン補助体が取り付けられ、前記プランジャーロッドの前記ピストンヘッドの前端には環状の凸縁が設けられ、
薬液の注射が完了した際、前記ピストンヘッドを前記注射針台座内に更に押し込むと、前記ピストンヘッドの前記環状の凸縁は、前記注射針台座の前記係合部に係合されて前記ピストンヘッドと前記注射針台座とが連結され、前記注射針台座の前記凸柱の前記係合部が前記筒体の前記位置決め部の前記係合溝から外れた後、前記プランジャーロッドの前記ピストンヘッドが引き戻される動作に連動し、前記注射針台座と前記注射針とが前記筒体内に収納されることを特徴とする使い捨て式注射器。
【発明の詳細な説明】
【技術分野】
【０００１】
本発明は安全な使い捨て式注射器に関する。
【背景技術】
【０００２】
従来の安全な使い捨て式注射器は、その構造が複雑で製造コストが高くなるという欠点があり、また、以下のような問題も生じる。薬液の注射が完了したとき、プランジャーロッドのピストンヘッドが注射針の注射針台座と連結され、その後、引き戻されたとき、筒体の内壁の間に大きな抵抗力が生じ、従来のピストンヘッドと注射針台座との連結構造ではピストンヘッドと注射針台座が外れてしまう可能性がある。従って、注射針を机の表面等に当接させ押さえておく必要があるため使用する際不便であり、しかも、注射針を机の表面等に当接させ押さえておく際、滑って人に注射針が刺さる危険性がある。また、特許文献１に開示されている方法によれば、上述したような問題が発生する可能性を下げることができるものの、製造の品質を制御することが難しいため、歩留まりが低く、コストが高くなるという問題が生じる。
【先行技術文献】
【特許文献】
【０００３】
【特許文献１】米国特許第７，１７９，２４３号明細書
【発明の概要】
【発明が解決しようとする課題】
【０００４】
本発明は、従来の安全な使い捨て式注射器の構造が複雑であり利便性が低いという問題を解決するため、構造が簡素化されているためコストを下げることができるとともに、利便性が高く、使用する際に動作を手早く行うことが可能な、安全な使い捨て式注射器を提供することを目的とする。
【課題を解決するための手段】
【０００５】
本発明による安全な使い捨て式注射器構造の改良は、筒体、注射針台座、プランジャーロッドを具える。筒体内には位置決め部を有し、位置決め部は注射針台座を固定する。プランジャーロッドの先端部にはピストンヘッドが設けられ、ピストンヘッドには環状の凸縁が設けられる。薬液の注射が完了したとき、更にプランジャーロッドを押すと、ピストンヘッドは注射針台座に押し込まれ、ピストンヘッドと注射針台座とが連結し、注射針台座が筒体の位置決め部から外れた後、注射針台座とその注射針は筒体内に収納される。
【発明の効果】
【０００６】
本発明は、薬液の注射が完了したとき、プランジャーロッドのピストンヘッドが注射針台座と連結されることにより、注射針台座とその注射針とが筒針内に収納されて人を負傷させることがなくなるため安全性が高い。また、その簡素化された構造により製造コストが低いとともに、利便性も高く、使用する際に動作を手早く行うことができるという利点をもつ。
【図面の簡単な説明】
【０００７】
【図１】本発明の一実施形態による使い捨て式注射器を示す分解斜視図である。
【図２】本発明の一実施形態による使い捨て式注射器を示す断面図である。
【図３】薬液の注射が完了した際の本発明の一実施形態による使い捨て式注射器の状態を示した説明図である。
【図４】注射針が筒体内に収納された際の本発明の一実施形態による使い捨て式注射器の状態を示した説明図である。
【発明を実施するための形態】
【０００８】
（一実施形態）
以下、本発明の一実施形態による使い捨て式注射器を図面に基づいて説明する。
図１、図２に示すように、本発明の一実施形態による使い捨て式注射器は、筒体１０、注射針台座２０、プランジャーロッド３０、ピストンヘッド３１によって構成する。筒体１０の先端部内には位置決め部１１が設けられ、位置決め部１１は係合溝１２を具える。注射針台座２０の前端には注射針２８を取り付ける注射針取り付け部２４が設けられ、その後端には内側に反り返る弾性係合部２１が設けられ、その周縁には液漏れ防止リング２３を取り付けるリング溝２２が設けられる。又、注射針台座２０の前端には凸柱２６が設けられ、凸柱２６の末端には、その両反対側が突出するように形成した係合部２７が設けられ、注射針台座２０の内部には、凸柱２６と一体成型するように当接柱２５が設けられる。注射針台座２０を筒体１０内に取り付ける際、凸柱２６の係合部２７を筒体１０の位置決め部１１の係合溝１２に係合させることで、注射針台座２０は筒体１０に固定される。プランジャーロッド３０のピストンヘッド３１にはピストン補助体３２が取り付けられ、プランジャーロッド３０のピストンヘッド３１の前端には環状の凸縁３３が設けられる。
【０００９】
上述の構造をもつ本発明の作用、効果を以下に詳述する。
【００１０】
（１）図２は、薬液を注射する前の本発明の状態を示している。注射針台座２０は筒体１０の位置決め部１１に固定して取り付けられ、弾性係合部２１は反り返ってスタンバイの状態になっており、プランジャーロッド３０のピストンヘッド３１のピストン補助体３２に押されることで薬液が注射される。
【００１１】
（２）図３は、薬液の注射が完了した際の本実施形態の使い捨て式注射器の状態を示している。このとき、プランジャーロッド３０を更に押すと、注射針台座２０の反り返り斜度をもった係合部２１は弾性を具えているため拡張し、ピストンヘッド３１を注射針台座２０内に押し込むことができる。この際、ピストンヘッド３１の斜度をもつ環状の凸縁３３は、当接柱２５の斜面に当接して当接柱２５を外側に押し広げるため、レバーの作用によって注射針台座２０の凸柱２６も傾斜し、ピストンヘッド３１の環状の凸縁３３は注射針台座２０の反り返った係合部２１に係合される。これにより、凸柱２６の係合部２７が筒体１０の位置決め部１１の係合溝１２から外れた後も、ピストンヘッド３１と注射針台座２０は連結されたままになる。
【００１２】
（３）図４に示す状態のとき、注射針台座２０の凸柱２６の係合部２７は筒体１０の位置決め部１１の係合部１２から外れているため、プランジャーロッド３０のピストンヘッド３１を引き戻した際、それに連動して注射針台座２０とその注射針２８は筒体１０内に収納され、注射針２８で人を傷つけることがなくなる。
【００１３】
上述の説明から分かるように、本実施形態の簡素化された構造により、注射針２８を収納したい場合、プランジャーロッドを軽く押し込むと、ピストンヘッド３１は注射針台座２０に連結される。ピストンヘッド３１と注射針台座２０が連結される際、環状の凸縁３３と環形係合部２１が係合されるため、強く引っ張っても外れず、引き戻したプランジャーロッド３０に連動して注射針台座２０も引き戻される。
【００１４】
以上、本発明の実施形態について図面を参照して詳述したが、具体的な構成はこの実施形態に限られるものではなく、本発明の要旨を逸脱しない範囲の設計変更等も含まれる。
【符号の説明】
【００１５】
１０：筒体、１１：位置決め部、１２：係合溝、２０：注射針台座、２１：係合部、２２：リング溝、２３：液漏れ防止リング、２５：当接柱、２４：注射針取り付け部、２６：凸柱、２７：係合部、２８：注射針、３０：プランジャーロッド、３１：ピストンヘッド、３２：ピストン補助体、３３：環状の凸縁
【図１】
2010167279.tif 000003
【図２】
2010167279.tif 000004
【図３】
2010167279.tif 000005
【図４】
2010167279.tif 000006